(57)【要約】【課題】　１台のデジタル複写機で原稿画像を読み込むとともに、読み込んだ原稿画像のコピーをリアルタイムで複数のデジタル複写機により出力することのできる生産性の高い画像処理システムを提供する。【解決手段】　２台のデジタル複写機１（Ａ）、１（Ｂ）をケーブル２を介して互いに接続し、相互に画像データを転送できるように構成した画像処理システムにおいて、送信側のデジタル複写機は、像形成部にて記録紙に像形成を行いつつ、その画像データをラスタ形式でライン単位の先頭を示すライン同期信号及び転送データに同期したクロックと共に伝送線２に出力し、受信側のデジタル複写機はケーブル２を介して受信した画像データの画像メモリへの書き込み及び読み出しを行い、その際書き込み開始から所定の読み出し開始待ち時間を経て読み出しを開始するとともに、書き込み及び読み出しを時分割で並行して実行する。【選択図】　図１
2004040823.tif 000002
【特許請求の範囲】
【請求項１】
　画像データを記録媒体に出力可能な像形成部を備えた少なくとも２台の画像処理装置を伝送線を介して互いに接続し、相互に画像データを転送できるように構成した画像処理システムにおいて、送信側の画像処理装置は、像形成部にて記録媒体に像形成を行いつつ、その画像データをラスタ形式でライン単位の先頭を示すライン同期信号及び転送データに同期したクロックと共に伝送線に出力する画像データ送信手段を備え、受信側の画像処理装置は、それぞれ１枚分の画像データを記憶する一対の画像メモリと、前記伝送線を介して受信した画像データを一方の画像メモリに記憶させ、記憶終了後、当該画像メモリから画像データを読み出して前記像形成部へ出力しつつ、前記伝送線を介して次に受信した画像データを他方の画像メモリに記憶させるメモリ制御手段と、を備えたことを特徴とする画像処理システム。
【請求項２】
　前記画像処理装置の送受信部の送信部分に、ライン毎の最後に送信する転送データを加算した総和のデータである符号を追加する転送エラー符号追加部を備え、前記画像処理装置の送受信部の受信部分に、ライン毎の最後に追加された符号と１ラインに転送されたデータの総和とを比較判定する転送エラー検出部を備えたことを特徴とする請求項１に記載の画像処理システム。
【請求項３】
　前記画像処理装置の送受信部の送信部分に、送信する画像データをライン単位に圧縮するデータ圧縮部を備え、前記画像処理装置の送受信部の受信部分に、前記データ圧縮部により圧縮して送られてきた画像データを伸長するデータ伸長部を備えたことを特徴とする請求項１に記載の画像処理システム。
【発明の詳細な説明】
【技術分野】
【０００１】
　本発明は、画像情報をデジタル処理して記録媒体に出力する少なくとも２台の画像処理装置を互いに接続し、相互に画像データを転送して処理できる画像処理システムの改良に関するものである。
【背景技術】
【０００２】
　近年、デジタル複写機の普及が進んでおり、それに伴って複写機上で画像メモリを応用した加工、編集が盛んに行われるようになってきている。デジタル複写機の加工、編集機能には、たとえば、画像メモリの読み出し時のアドレス操作による画像回転、画像メモリ上に同一パターンのデータを複数形成することによるイメージリピート、画像メモリへの書き込み時のアドレス操作により複数枚の原稿を１枚の転写紙にコピーする集約、等がある。このような機能を実現するために、デジタル複写機では、最低原稿１枚分の画像データを展開することができる画像メモリを一般に備えている。また、近年のデジタル複写機には、他のデジタル複写機と通信ケーブルを介して画像データを送受信する機能を備えたものがある。この種のデジタル複写機によれば、例えば２台のデジタル複写機を相互に接続しておくことにより、一方の複写機がコピー処理を行っている時に他方の複写機が使用されていなければ、一方から他方に画像データを転送して２台の複写機でコピー処理を分担して行うことができ、大量のコピー処理を効率良く行うことができる。
【発明の開示】
【発明が解決しようとする課題】
【０００３】
　従来、上記のように２台のデジタル複写機を連結してコピー処理を行う場合、受信側の複写機は１部目のデータを受け取っても直ぐにはコピー出力を行わず、いったん画像メモリにデータを記憶させ、送信側が２部目のコピー出力を行うタイミングで１部目をコピー出力するというように、送信側に対し受信側のコピー出力のタイミングを遅らせていた。その理由は、通常、デジタル複写機ではプロッタの書き込み周期（電子写真プロセスの半導体レーザを用いた書込みではポリゴンモータの回転により変化するポリゴンモータ同期信号）に同期させて、スキャナによる原稿画像の読み取りを行い、読み取った画像データをラスタ形式で後段の画像処理部及びプロッタにライン同期信号を基準にして転送するため、上記のように２台のデジタル複写機を連結した場合に、一方のデジタル複写機のスキャナで読み込んだデータをリアルタイムで両方のデジタル複写機のプロッタからコピー出力することが困難なためである。本発明は、上述した従来技術の課題を解決するためになされたものであり、１台の画像形成装置で原稿画像を読み込むとともに、読み込んだ原稿画像のコピーをリアルタイムで複数の画像形成装置により出力することのできる生産性の高い画像処理システムを提供することを目的とする。
【課題を解決するための手段】
【０００４】
　上記課題を解決するために、請求項１に記載の発明は、画像データを記録媒体に出力可能な像形成部を備えた少なくとも２台の画像処理装置を伝送線を介して互いに接続し、相互に画像データを転送できるように構成した画像処理システムにおいて、送信側の画像処理装置は、像形成部にて記録媒体に像形成を行いつつ、その画像データをラスタ形式でライン単位の先頭を示すライン同期信号及び転送データに同期したクロックと共に伝送線に出力する画像データ送信手段を備え、受信側の画像処理装置は、それぞれ１枚分の画像データを記憶する一対の画像メモリと、伝送線を介して受信した画像データを一方の画像メモリに記憶させ、記憶終了後、当該画像メモリから画像データを読み出して像形成部へ出力しつつ、伝送線を介して次に受信した画像データをもう一方の画像メモリに記憶させるメモリ制御手段と、備えたことで、１台の画像形成装置で読み取った原稿画像のコピーを見かけ上複数台の画像形成装置から同時にリアルタイムにコピー出力できるようにした。
　また、請求項２に記載の発明は、請求項１に記載の画像処理システムにおいて、前記画像処理装置の送受信部の送信部分に、ライン毎の最後に送信する転送データを加算した総和のデータである符号を追加する転送エラー符号追加部を備え、前記画像処理装置の送受信部の受信部分に、ライン毎の最後に追加された符号と１ラインに転送されたデータの総和とを比較判定する転送エラー検出部を備えることで、突発的な伝送線の断線等の早期発見を可能にして信頼性を向上させた。
　また、請求項３に記載の発明は、請求項１に記載の画像処理システムにおいて、前記画像処理装置の送受信部の送信部分に、送信する画像データをライン単位に圧縮するデータ圧縮部を備え、前記画像処理装置の送受信部の受信部分に、前記データ圧縮部により圧縮して送られてきた画像データを伸長するデータ伸長部を備えることで、データ転送に要する時間及びコストを削減するとともに、転送レートを下げることによって転送エラーの発生を少なくして信頼性を向上させた。
【発明の効果】
【０００５】
　本発明によれば以下のような優れた効果を発揮できる。請求項１の画像処理システムによれば、１台の画像形成装置で読み取った原稿画像のコピーを見かけ上複数台の画像形成装置から同時にリアルタイムにコピー出力でき、しかも、原稿を複数枚読み取った場合の２枚目以降の画像データを画像メモリに格納する時間は１枚目のコピー出力の時間とオーバーラップさせることができ、受信側の処理能率を通常時と比較して低下させることなく、高い処理能率を得ることができる。また、請求項２の画像処理システムによれば、請求項１または３に加え、ライン単位またはページ単位で画像データの転送エラーを検出する機能を備えることで、突発的な伝送線の断線等の早期発見を可能にして信頼性を向上できる。また、請求項３の画像処理システムによれば、請求項１または３に加え、画像データを圧縮して転送する機能を備えることで、データ転送に要する時間及びコストを削減するとともに、転送レートを下げることによって転送エラーの発生を少なくして信頼性を向上できる。
【発明を実施するための最良の形態】
【０００６】
　以下、本発明の実施の形態について説明する。図１は本発明に係る画像処理システムの実施の形態の一例を示すシステム構成図であり、２台の同じタイプのデジタル複写機１（Ａ）、１（Ｂ）を通信ケーブル（伝送線）を介して相互に接続してなるシステム構成例を示している。図２は上記画像処理システムを構成するデジタル複写機１（Ａ）、１（Ｂ）の構成を示す概念図であり、各デジタル複写機１（Ａ）、１（Ｂ）は、原稿上の画像を読み取る読取部１０と、読取部１０により読み取られた画像を記録紙に印字出力する像形成部２０とを有している。読取部１０では、原稿台３上にセットされた原稿Ｄの画像を原稿台３に沿って副走査方向に移動可能な主走査方向に延びる露光ランプ４によって露光しつつ、その反射光を順次ミラー５で反射させてＣＣＤ（イメージセンサー）６に入射させる。ＣＣＤ６は、入射光を光電変換し、光の強弱に応じた電気信号としてＩＰＵ（イメージプロセッシングユニット）７に出力する。ＩＰＵ７は、ＣＣＤ６からの信号に対しシェーディング補正等の処理を行った後、Ａ／Ｄ変換して８ビットのデジタル信号とし、さらに変倍処理、ディザ処理等の画像処理を行い、生成した画像データを画像同期信号ＰＣＬＫ（図３参照）と共に像形成部２０の書込部１３に送る。スキャナ制御部９は以上のプロセスを実行するために、各種センサーにより読取部１０の各部の駆動状態を検知しつつ駆動モータ等の制御を行い、また、ＩＰＵ７に対し各種パラメータの設定を行う。
【０００７】
　像形成部２０では、読取部１０からの画像データに応じて書込部１３内の半導体レーザ２１が変調駆動され、半導体レーザ２１からのレーザ光が一定速度で回転するポリゴンミラー２２によって反射され、感光体ドラム１２の表面に照射される。ポリゴンミラー２２は、感光体ドラム１２の回転方向に対して直交する方向にレーザ光を走査する。このレーザ光が帯電チャージャ１１によって一様に帯電された感光体ドラム１２の表面に照射されることにより、感光体ドラム１２の表面に静電潜像が形成され、それを現像装置１４によりトナーで現像することにより顕像化したトナー像が得られる。そして、あらかじめ給紙コロ１６によって給紙トレイ１８より給紙搬送され、レジストローラ１７に当接して待機していた転写紙Ｐを、感光体ドラム１２とのタイミングを図って搬送し、転写チャージャ１９によって感光体ドラム１２上のトナー像を転写紙Ｐに静電転写し、分離チャージャ２３によって転写紙Ｐを感光体ドラム１２より分離する。その後、転写紙Ｐ上のトナー像を定着装置２４により加熱定着し、排紙ローラ２５により排紙トレイ６５に排紙する。一方、静電転写後、感光体ドラム１２に残留しているトナーはクリーニング装置２６により除去され、感光体ドラム１２は除電チャージャ２７により除電される。プロッタ制御部２８は、以上のプロセスを実行するために、各種センサーにより像形成部２０の各部の駆動状態を検知しつつ、上記ポリゴンミラー２２を駆動するポリゴンモータ２９やその他の駆動モータ等の制御を行う。
【０００８】
　ここで、読取部１０のＩＰＵ７より出力される画像同期信号ＰＣＬＫとその他の信号との関係を図３を参照して説明する。フレームゲート信号（／ＦＧＡＴＥ）は副走査方向の画像エリアに対しての画像有効範囲を表す信号でこの信号がローレベル（ローアクティブ）の間の画像データが有効とされる。また、この／ＦＧＡＴＥはライン同期信号（／ＬＳＹＮＣ）の立ち下がりエッジでアサート、あるいはネゲートされる。／ＬＳＹＮＣは画素同期信号（ＰＣＬＫ）の立ち上がりエッジで所定クロック数だけアサートされ、この信号の立ち上がり後、所定クロック後に主走査方向の画像データが有効とされる。画像データは、ＰＣＬＫの１周期に対して１つの割合で送られてくるものであり、図２中に示す主走査方向の読み取り範囲Ｌを４００ＤＰＩ相当に分割し、矢印Ｑで指した部分のデータを先頭にラスタ形式のデータとして送出される。また、画像データの副走査有効範囲は、通常、転写紙サイズによって決まる。
【０００９】
　システム制御部３０は、オペレータによる操作部３１への入力状態を検知し、読取部１０、記憶部３２、像形成部２０の各種パラメータの設定、プロセス実行指示等を通信により行う。また、システム制御部３０は、システム全体の状態を操作部３１の表示画面に表示させる。システム制御部３０への指示はオペレータが操作部３１のキーを操作することによってなされる。また、システム制御部３０は、送受信部３３を制御して他方のデジタル複写機と通信を行う。送受信部３３は、通信ケーブル２を介して他方のデジタル複写機の送受信部と相互に接続されており、システム制御部３０からの制御データや画像データなどを通信ケーブル２を介して他方のデジタル複写機へ送信するとともに、通信ケーブル２を介して送られてきた制御データや画像データなどを受信する。セレクタ部３４は、システム制御部３０からの指示に応じて内部の接続状態を変化させ、像形成を行う画像データの供給源を読取部１０と記憶部３２のどちらか一方に切り換えるとともに、記憶部３２に記憶するデータの供給源を読取部１０と送受信部３３のどちらか一方に切り換える。記憶部３２は、１原稿分に相当する画像データを記憶することができ、通常はＩＰＵ７からの画像データが書き込まれる。そして、画像回転やイメージリピート等の各種機能を実現するために使用される。その際のデータ書込みや読み出しの制御はシステム制御部３０によってなされる。
【００１０】
　図４に記憶部３２の内部構成を示す。図示するように記憶部３２は、画像メモリ３５、画素同期信号発生部３６、ライン同期信号発生部３７、ライン同期信号計数部３８、セレクタ３９−１、３９−２、３９−３、メモリ制御部４０、画像メモリ５０、メモリ制御部５１、等から構成される。
　画像メモリ３５は、１ページ分の画像データを記憶するものであり、ＤＲＡＭ等の記憶素子で構成されている。メモリ制御部４０によって制御されて入力画像データの記憶を行う。画素同期信号発生部３６は、発振回路で構成され、所定周波数のクロック信号を出力する。ライン同期信号発生部３７は、ＴＴＬ回路等からなるロジック回路で構成され、像形成部２０からのポリゴンモータ同期信号より、ライン同期信号を生成し出力する。ライン同期信号計数部３８は、ＴＴＬ回路等からなるカウンタロジック回路で構成され、外部から入力されるライン同期信号の間隔をサンプリングする。また、その情報はメモリ制御部４０のＭＰＵによってＣＰＵバスを介して読み出される。セレクタ３９−１は、画素同期信号選択用のセレクタである。ＴＴＬゲートで構成されており、画素同期信号発生部３６からの画素同期信号と、入力画素同期信号の何れかをメモリ制御部４０からの指示信号に従い選択する。セレクタ３９−２は、出力ライン同期信号選択用のセレクタである。ＴＴＬゲートで構成されており、ライン同期信号発生部３７からのライン同期信号と入力ライン同期信号の何れかをメモリ制御部４０からの指示信号に従い選択する。セレクタ３９−３は、出力画像データ及び出力フレームゲート信号の供給源を２つの画像メモリ３５、５０のどちらか一方に切り換えるためのセレクタである。画像メモリ５０は、１ページ分の画像データを記憶するものであり、ＤＲＡＭ等の記憶素子で構成されている。メモリ制御部５１は、画像メモリ５０への画像データの書込み読み出しを制御するものである。
　この形態例では、それぞれ１ページ分の画像データを記憶可能な一対の画像メモリ３５、５０が設けられており、それらが別々のメモリ制御部４０、５１により制御される構成になっている。上記２つのメモリ制御部４０、５１は、システム制御部３０の指示に応じて連携動作し、まず、受信した画像データを一方の画像メモリ（３５または５０）に記憶させ、記憶終了後、その画像メモリ（３５または５０）から画像データを読み出して像形成部２９へ出力しつつ、次に受信した画像データを他方の画像メモリ（３５または５０）に記憶させる。この構成では、原稿の部数が多い場合は、１部目の画像データを画像メモリ（３５または５０）に格納する時間は必要となるが、２部目以降の画像データを画像メモリに格納する時間は１部目のコピー出力の時間とオーバーラップさせることができ、受信側の処理能率を通常時と比較して低下させることなく、高い処理能率を得ることができる。また、メモリ制御部は２つ必要となるが、図６に示したような複雑なタイミング制御を行う必要がないので、個々のメモリ制御部は上記の場合よりも簡単に構成できる。（以上、請求項１に対応）
【００１１】
　図５はメモリ制御部４０及び５１の構成図である。メモリ制御部４０と５１は構成が同じであるので一方のみについて説明する。メモリ制御部４０はＭＰＵを含む複数の機能ブロック４１〜４７で構成されている。各機能ブロック４１〜４７はロジック回路で構成されている。ＭＰＵ４１はシステム制御部３０と通信を行い、コマンドを受信してそのコマンドに応じた動作設定を他の機能ブロック４２〜４７に対して行い、また、記憶部３２の状態を知らせるためのステータス情報をシステム制御部３０に送信する。入力データ処理部４２は、１ビットの入力画像データを入力画像同期信号と共に取り込み、８ビットのデータ幅にパッキングして画像データバス６０に出力する。また、入力されるクロックと内部の動作クロックとが異なるため、入力画像データの同期化を行う。出力データ処理部４３は、上記とは逆に画像データバス６０から８ビットのデータ幅で画像データを取り込み、パラレル／シリアル変換を行って１ビットの出力画像データとして出力画像同期信号と共に出力する。また、出力クロックと内部の動作クロックとが異なるため、出力画像データの出力クロックへの同期化を行う。アービタ４４は、入力データ処理部４２及び出力データ処理部４３からのアクセス要求信号に対し、調停を行う。入力画像アドレスカウンタ４５は、アクセス許可信号にてカウントアップを行うカウンタから成る。出力画像アドレスカウンタ４６の構成も入力画像アドレスカウンタ４５と同じである。アドレスセレクタ４７は、アービタ４４からの選択信号によりリードまたはライトのアドレスを選択し、かつ選択されたアドレスを画像メモリであるＤＲＡＭに対応したロウアドレス及びカラムアドレスに分割して１１ビットの画像アドレスバス及び制御信号線６１に出力する。アドレス制御回路４８は、アクセス許可信号に従い、ＤＲＡＭ制御信号（ＲＡＳ、ＣＡＳ、ＷＥ）を画像アドレスバス及び制御信号線６１に出力する。
【００１２】
　以下、上記のように構成された画像処理システムの動作を説明する。ここでは図１に示した画像処理システムを構成する一方のデジタル複写機１（Ａ）を送信側（以下、Ａ機と記す。）、他方のデジタル複写機１（Ｂ）を受信側（以下、Ｂ機と記す。）と想定して説明する。なお、以下の説明において、各構成要素の符号の後に付した（Ａ）及び（Ｂ）は、それぞれＡ機及びＢ機の構成要素であることを示す。Ａ機にてコピーを複数枚とり、Ｂ機は使用されてない場合、Ａ機のシステム制御部３０（Ａ）からＢ機のシステム制御部３０（Ｂ）に画像転送及び画像コピー出力の要求がなされる。Ｂ機はＡ機からの要求を受け取ると、自機が現在コピー処理実行中でないことを確認した後、許可をＡ機に返す。このとき、Ａ機はＢ機に送出する主・副方向の画像サイズの情報を、あらかじめ通信にて伝える。その後、Ａ機の原稿台３（Ａ）にセットされた原稿が前記読取プロセスにより読み取られ、像形成部２０（Ａ）にて１枚目の原稿のコピー画像がリアルタイムで形成される。この時、Ａ機の記憶部３２（Ａ）は、読取部１０（Ａ）からの画像データを２枚目以降の像形成用として画像メモリ３５に記憶する。また、読取部１０（Ａ）からの画像データ（１枚目も含む）は送受信部３３から通信ケーブル２を介してＢ機にデータ転送される。Ｂ機の記憶部３２（Ｂ）は、システム制御部３０（Ｂ）から画像入力コマンドを受けた後、通信ケーブル２及び送受信部３３（Ｂ）を経て入力された画像データに対し、入力メモリアクセス要求信号を発生し、画像メモリ３５（Ｂ）への記憶を開始する。
【００１３】
　図６はＢ機のメモリ制御部４０（Ｂ）における入力処理及び出力処理動作のタイミングチャートである。図示するように、メモリ制御部４０（Ｂ）は入力処理開始から読み出し開始待ち時間Ｔの後、画像の出力処理を開始する。画像の出力コマンドはシステム制御部３０（Ｂ）から記憶部３２（Ｂ）に発行される。読み出し開始待ち時間Ｔは、ポリゴンモータ２９の回転ばらつきのワーストケースを考慮して、デジタル複写機の機種毎にあらかじめ算出し設定されたものである。すなわち同じ機種のデジタル複写機の読み出し開始待ち時間Ｔの設定値は同じである。この読み出し開始待ち時間Ｔは、画像メモリ３５（Ｂ）からの読み出しアドレスｍが書き込みアドレスｎを追い越すことがない値であることが望まれる。ただし、この読み出し開始待ち時間Ｔは、数十ｍｓｅｃオーダーであり、画像全体の入出力にかかる時間と比較すると無視できる程度である。したがって、操作者の立場からみればリアルタイムで画像が出力されることとなる。
　また、画像メモリ３５（Ｂ）へのアクセスは、図６に示すように、入力メモリアクセス要求信号の発生サイクル時間、及び入力メモリアクセス要求信号の発生サイクル時間の半分の時間で済むようにアクセス制御回路４８（Ｂ）を動作させるクロック信号の周期を設定してある。このため、時分割でメモリの読み出しと書き込みを行うことにより、記憶部３２（Ｂ）は画像の入力と出力とを並行して実行できる。
　また、入力ライン同期信号を自らのクロックでサンプリングし、アサート間隔を算出する回路であるライン同期信号計数部３８を記憶部３２に設けたことにより、異なる機種間でもシステム制御部３０が自らの書き込み周期との関係から読み出し開始待ち時間を算出することにより、リアルタイムで画像出力を行うことが可能となる。
【００１４】
　図７は送受信部３３の別の形態例を示したものであり、送受信部３３の送信部分に、ライン毎の最後に送信する転送データを加算した総和のデータである符号を追加する転送エラー符号追加部５５を設け、受信部分に、ライン毎の最後に追加された符号と１ラインに転送されたデータの総和とを比較判定する転送エラー検出部５６を設けてなる。このような構成を採用すれば、ライン単位またはページ単位で画像データの転送エラーを検出することができるので、突発的な通信ケーブル２の断線等を早期に発見することが可能になり信頼性を向上できる。（以上、請求項２に対応）
　図８は送受信部３３のさらに別の形態例を示したものであり、送受信部３３の送信部分に、送信する画像データをライン単位で圧縮（符号化）するデータ圧縮部５７を設け、受信部分に、圧縮して送られてきた画像データを伸長（復号）するデータ伸長部５８を設けてなる。このような構成を採用すれば、送信する画像データ量を少なくすることができるため、データ転送に要する時間及びコストを削減するとともに、転送エラーの発生を少なくして信頼性を向上させることができる。（以上、請求項３に対応）
　なお、以上の実施の形態では、２台のデジタル複写機を連結してなる画像処理システムの構成例を示したが、更に多くの台数のデジタル複写機を連結したシステム構成としてもよい。また、図４に示した形態例では、それぞれ１ページ分の画像データを記憶できる画像メモリを２個備えた場合を示したが、画像メモリを３個以上備え、それに応じたメモリ制御部及びセレクタを付加すれば、更に処理効率の良いシステムを実現できる。
【図面の簡単な説明】
【００１５】
【図１】本発明に係る画像処理システムの実施の形態の一例を示すシステム構成図。
【図２】図１に示すシステムを構成するデジタル複写機の構成を示す概念図。
【図３】デジタル複写機の読取部のＩＰＵ（イメージプロセッシングユニット）より出力される画像同期信号ＰＣＬＫとその他の信号との関係を示したタイミング図。
【図４】図２中の記憶部の内部構成を示すブロック図。
【図５】図４中のメモリ制御部の内部構成を示すブロック図。
【図６】受信側のデジタル複写機のメモリ制御部における入力処理及び出力処理動作のタイミング図。
【図７】送受信部の別の形態例を示すブロック図。
【図８】送受信部のさらに別の形態例を示すブロック図。
【符号の説明】
【００１６】
１（Ａ）、１（Ｂ）　デジタル複写機（画像形成装置）、２　通信ケーブル（伝送線）、３　原稿台、４　露光ランプ、６　ＣＣＤ、７ ＩＰＵ、９　スキャナー制御部、１０　読取部、１１　帯電チャージャ、１２　感光体ドラム、１３　書込部、１４　現像装置、１９　転写チャージャ、２０　像形成部、２１　半導体レーザ、２２　ポリゴンミラー、２３　分離チャージャ、２８　プロッタ制御部、３０　システム制御部、３１　操作部、３２　記憶部、３３　送受信部、３４　セレクタ部、３５　画像メモリ、３６　画素同期信号発生部、３７　ライン同期信号発生部、３８　ライン同期信号計数部、３９−１　セレクタ、３９−２　セレクタ、３９−３　セレクタ、４０　メモリ制御部、４１　ＭＰＵ、４２　入力データ処理部、４３　出力データ処理部、４４　アービタ、４５　入力画像アドレスカウンタ、４６　出力画像アドレスカウンタ、４７　アドレスセレクタ、４８　アクセス制御回路、５０　画像メモリ、５１　メモリ制御部、５５　転送エラー符号追加部、５６　転送エラー検出部、５７　データ圧縮部、５８　データ伸長部、６０　画像データバス、Ｄ　原稿、Ｐ　転写紙。
【図１】
2004040823.tif 000003
【図２】
2004040823.tif 000004
【図３】
2004040823.tif 000005
【図４】
2004040823.tif 000006
【図５】
2004040823.tif 000007
【図６】
2004040823.tif 000008
【図７】
2004040823.tif 000009
【図８】
2004040823.tif 000010